(57)【要約】【課題】居住者と住戸内に侵入した不審者とが鉢合わせになるのを防ぐことができるインターホンシステムを提供する。【解決手段】インターホン親機１は、防犯センサ３に不審者の侵入の検知動作を行わせる警戒モードに設定された時点からの防犯センサ３から送信される侵入検知信号の受信履歴を検知履歴情報として記憶する記憶部１７を備え、リモコン４は、インターホン親機１に防犯センサ３の検知履歴情報を要求する履歴要求信号を送信させる指示を入力するための操作入力受付部４０を備え、インターホン親機１は、リモコン４からの履歴要求信号を受信すると記憶部１７から防犯センサ３の検知履歴情報を読み出して親機通話部１０を介してドアホン子器２に出力する。【選択図】図１
2010226345.tif 000002
【特許請求の範囲】
【請求項１】
住戸内に設置されるインターホン親機と、住戸外に設置されてインターホン親機との間で通話を行うドアホン子器と、住戸内への不審者の侵入を検知するとともに不審者が侵入した旨を知らせる侵入検知信号をインターホン親機に送信する防犯センサとを備えたインターホンシステムであって、インターホン親機は、ドアホン子器との間で通話路を形成する通話部と、防犯センサからの侵入検知信号を受信すると不審者の侵入を知らせる警報動作を行わせる警戒モード、及び防犯センサからの侵入検知信号を受信しても警報動作を行わせない非警戒モードの設定を行うモード設定部と、少なくとも警戒モードに設定された時点からの防犯センサから送信される侵入検知信号の受信履歴を検知履歴情報として記憶する記憶部とを備え、ドアホン子器は、インターホン親機との間で通話路を形成する通話部と、インターホン親機に防犯センサの検知履歴情報を要求する履歴要求信号を通話部を介して送信させる指示を入力するための操作入力受付部を備え、インターホン親機は、ドアホン子器からの履歴要求信号を受信すると記憶部から防犯センサの検知履歴情報を読み出して通話部を介してドアホン子器に出力することを特徴とするインターホンシステム。
【請求項２】
住戸内に設置されるインターホン親機と、住戸外に設置されてインターホン親機との間で通話を行うドアホン子器と、住戸内への不審者の侵入を検知するとともに不審者が侵入した旨を知らせる侵入検知信号をインターホン親機に送信する防犯センサと、インターホン親機を遠隔操作するための遠隔操作信号を電波を媒体とするワイヤレス信号で送信するリモコンと、リモコンからのワイヤレス信号を受信するとワイヤレス信号に含まれる遠隔操作信号を信号線を介してインターホン親機に送信するワイヤレス受信機とを備えたインターホンシステムであって、インターホン親機は、ドアホン子器との間で通話路を形成する通話部と、防犯センサからの侵入検知信号を受信すると不審者の侵入を知らせる警報動作を行わせる警戒モード、及び防犯センサからの侵入検知信号を受信しても警報動作を行わせない非警戒モードの設定を行うモード設定部と、少なくとも警戒モードに設定された時点からの防犯センサから送信される侵入検知信号の受信履歴を検知履歴情報として記憶する記憶部とを備え、ドアホン子器は、インターホン親機との間で通話路を形成する通話部を備え、リモコンは、インターホン親機に防犯センサの検知履歴情報を要求する履歴要求信号を送信させる指示を入力するための操作入力受付部を備え、インターホン親機は、リモコンからの履歴要求信号を受信すると記憶部から防犯センサの検知履歴情報を読み出して通話部を介してドアホン子器に出力することを特徴とするインターホンシステム。
【請求項３】
前記インターホン親機の記憶部は、防犯センサの検知履歴情報とともに防犯センサから送信される侵入検知信号を受信した時点の時刻情報も記憶し、インターホン親機は、履歴要求信号を受信すると記憶部から防犯センサの検知履歴情報及び時刻情報を読み出して通話部を介してドアホン子器に出力することを特徴とする請求項１又は２記載のインターホンシステム。
【請求項４】
前記インターホン親機は、警戒モードにおいて防犯センサから送信される侵入検知信号を受信するとドアホン子器にも侵入検知信号を送信し、ドアホン子器は、侵入検知信号を受信すると防犯センサが不審者の侵入を検知した旨を知らせる表示を行う表示部を備えたことを特徴とする請求項３記載のインターホンシステム。
【発明の詳細な説明】
【技術分野】
【０００１】
本発明は、不審者の住戸内への侵入を検知する防犯センサを備えたインターホンシステムに関する。
【背景技術】
【０００２】
従来から、住戸内に設置されたインターホン親機と、住戸外に設置されたドアホン子器との間で通話可能なインターホンシステムが知られている。このようなインターホンシステムにおいて、泥棒などの不審者の住戸内への侵入を検知する防犯センサを備えたセキュリティシステムが知られており、例えば特許文献１に開示されているようなものがある。この特許文献１に開示されているセキュリティシステムは、防犯用の異常検出を行う防犯センサと、扉の施錠及び解錠を行う電気錠と、インターホン親機とドアホン子器とが通信可能に構成されるとともに、ドアホン子器と非接触タグとが非接触で通信可能に構成されている。
【０００３】
インターホン親機は、電気錠と通信可能に構成され、防犯センサに異常検出を行わせるセキュリティモードの設定、及びセキュリティモードの解除を行うモード設定部と、モード設定部にセキュリティモードの設定を待機させる指示を入力するための操作部と、ドアホン子器からの登録確認情報の有無に応じて電気錠の動作を制御する施解錠制御部とを備え、ドアホン子器は、非接触タグのＩＤ情報を非接触タグから非接触で取得する情報取得部と、情報取得部により取得されたＩＤ情報の照合を行い、ＩＤ情報が登録されたものであるときその旨を示す登録確認情報をインターホン親機に出力する照合部とを備える。
【０００４】
電気錠は、施解錠制御部による指示に基づき施錠動作または解錠動作を行うものであり、モード設定部は、操作部が操作されると、電気錠による施錠動作が行われるまでセキュリティモードの設定動作を待機し、電気錠による施錠動作が行われるとセキュリティモードに設定するとともに、操作部が操作されてから所定時間経過しても、照合部から登録確認情報を受信しないときには、電気錠による施錠動作の有無に関係なくセキュリティモードに設定する。
【０００５】
而して、居住者がインターホン親機の操作部を操作することでモード設定部でのセキュリティモードの設定動作を待機させ、電気錠による施錠動作が行われるとセキュリティモードに設定するようにしたので、例えば暫くの間外出する等、居住者が必要と考えて操作部が操作されたときにのみセキュリティモードに設定することができる。
【先行技術文献】
【特許文献】
【０００６】
【特許文献１】特許第３９９４９１９号公報
【発明の概要】
【発明が解決しようとする課題】
【０００７】
しかしながら、上記従来例では、居住者の外出時においては適切にセキュリティモードの設定を行なうことができるが、居住者の帰宅時においては電気錠による解錠動作が行われるとセキュリティモードが解除されるのみである。即ち、居住者が帰宅して住戸内に入る前に防犯センサが不審者の侵入を検知したかどうかを確認することができない。このため、帰宅時に侵入した不審者が住戸内にまだ滞在している場合、居住者は不審者が滞在しているのを知らずに住戸内に入り、居住者と不審者とが鉢合わせになる虞があった。
【０００８】
本発明は、上記の点に鑑みて為されたもので、居住者と住戸内に侵入した不審者とが鉢合わせになるのを防ぐことができるインターホンシステムを提供することを目的とする。
【課題を解決するための手段】
【０００９】
請求項１の発明は、上記目的を達成するために、住戸内に設置されるインターホン親機と、住戸外に設置されてインターホン親機との間で通話を行うドアホン子器と、住戸内への不審者の侵入を検知するとともに不審者が侵入した旨を知らせる侵入検知信号をインターホン親機に送信する防犯センサとを備えたインターホンシステムであって、インターホン親機は、ドアホン子器との間で通話路を形成する通話部と、防犯センサからの侵入検知信号を受信すると不審者の侵入を知らせる警報動作を行わせる警戒モード、及び防犯センサからの侵入検知信号を受信しても警報動作を行わせない非警戒モードの設定を行うモード設定部と、少なくとも警戒モードに設定された時点からの防犯センサから送信される侵入検知信号の受信履歴を検知履歴情報として記憶する記憶部とを備え、ドアホン子器は、インターホン親機との間で通話路を形成する通話部と、インターホン親機に防犯センサの検知履歴情報を要求する履歴要求信号を通話部を介して送信させる指示を入力するための操作入力受付部を備え、インターホン親機は、ドアホン子器からの履歴要求信号を受信すると記憶部から防犯センサの検知履歴情報を読み出して通話部を介してドアホン子器に出力することを特徴とする。
【００１０】
請求項２の発明は、上記目的を達成するために、住戸内に設置されるインターホン親機と、住戸外に設置されてインターホン親機との間で通話を行うドアホン子器と、住戸内への不審者の侵入を検知するとともに不審者が侵入した旨を知らせる侵入検知信号をインターホン親機に送信する防犯センサと、インターホン親機を遠隔操作するための遠隔操作信号を電波を媒体とするワイヤレス信号で送信するリモコンと、リモコンからのワイヤレス信号を受信するとワイヤレス信号に含まれる遠隔操作信号を信号線を介してインターホン親機に送信するワイヤレス受信機とを備えたインターホンシステムであって、インターホン親機は、ドアホン子器との間で通話路を形成する通話部と、防犯センサからの侵入検知信号を受信すると不審者の侵入を知らせる警報動作を行わせる警戒モード、及び防犯センサからの侵入検知信号を受信しても警報動作を行わせない非警戒モードの設定を行うモード設定部と、少なくとも警戒モードに設定された時点からの防犯センサから送信される侵入検知信号の受信履歴を検知履歴情報として記憶する記憶部とを備え、ドアホン子器は、インターホン親機との間で通話路を形成する通話部を備え、リモコンは、インターホン親機に防犯センサの検知履歴情報を要求する履歴要求信号を送信させる指示を入力するための操作入力受付部を備え、インターホン親機は、リモコンからの履歴要求信号を受信すると記憶部から防犯センサの検知履歴情報を読み出して通話部を介してドアホン子器に出力することを特徴とする。
【００１１】
請求項３の発明は、請求項１又は２の発明において、インターホン親機の記憶部は、防犯センサの検知履歴情報とともに防犯センサから送信される侵入検知信号を受信した時点の時刻情報も記憶し、インターホン親機は、履歴要求信号を受信すると記憶部から防犯センサの検知履歴情報及び時刻情報を読み出して通話部を介してドアホン子器に出力することを特徴とする。
【００１２】
請求項４の発明は、請求項３の発明において、インターホン親機は、警戒モードにおいて防犯センサから送信される侵入検知信号を受信するとドアホン子器にも侵入検知信号を送信し、ドアホン子器は、侵入検知信号を受信すると防犯センサが不審者の侵入を検知した旨を知らせる表示を行う表示部を備えたことを特徴とする。
【発明の効果】
【００１３】
請求項１の発明によれば、帰宅時にドアホン子器の操作入力受付部を操作することで防犯センサの検知履歴を住戸内に入る前に確認することができるので、不審者が侵入しているのを知らずに居住者が住戸内に入るのを防ぐことができる。したがって、居住者と不審者とが鉢合わせになるのを防ぐことができ、防犯性を高めることができる。
【００１４】
請求項２の発明によれば、帰宅時にリモコンの操作入力受付部を操作することで防犯センサの検知履歴を住戸内に入る前に確認することができるので、不審者が侵入しているのを知らずに居住者が住戸内に入るのを防ぐことができる。したがって、居住者と不審者とが鉢合わせになるのを防ぐことができ、防犯性を高めることができる。
【００１５】
請求項３の発明によれば、帰宅時に防犯センサが不審者の侵入を検知した時刻を住戸内に入る前に確認することができるので、不審者の侵入を検知した時刻と帰宅時の時刻とを比較することができる。したがって、不審者の侵入を検知した時刻が帰宅時の時刻よりも大分前の時刻であれば住戸内に入り、不審者の侵入を検知した時刻が帰宅時の時刻の直前であれば友人など他の人を呼んでから住戸内に入る等のように対応することができる。
【００１６】
請求項４の発明によれば、防犯センサが不審者の侵入を検知した事を帰宅時にドアホン子器の表示部を見ることで確認することができる。したがって、帰宅時に表示部に表示がなければ不審者の侵入を検知していないことから、余計な確認作業をすることなく住戸内に入ることができ、利便性を向上させることができる。
【図面の簡単な説明】
【００１７】
【図１】本発明に係るインターホンシステムの実施形態を示す全体概略図である。
【図２】同上のインターホン親機のブロック図である。
【図３】同上のドアホン子器のブロック図である。
【図４】同上のリモコン及びワイヤレス受信機のブロック図である。
【図５】同上のリモコンを用いた場合の動作を示すフローチャートである。
【図６】同上のドアホン子器を用いた場合の動作を示すフローチャートである。
【発明を実施するための形態】
【００１８】
以下、本発明に係るインターホンシステムの実施形態について図面を用いて説明する。本実施形態は、図１に示すように、住戸内に設置されるインターホン親機１と、例えば門扉等の住戸外に設置されてインターホン親機１との間で通話を行うドアホン子器２と、住戸内への不審者の侵入を検知するとともに不審者が侵入した旨を知らせる侵入検知信号をインターホン親機１に送信する１乃至複数（図示では１つ）の防犯センサ３と、インターホン親機１を遠隔操作するための遠隔操作信号を電波を媒体とするワイヤレス信号で送信するリモコン４と、リモコン４からのワイヤレス信号を受信するとワイヤレス信号に含まれる遠隔操作信号を通信線（図示せず）を介してインターホン親機１に送信するワイヤレス受信機５とを備える。ここで、ドアホン子器２は音声信号及び制御信号を多重化して伝送する上記通信線によってインターホン親機１と接続されている。
【００１９】
インターホン親機１は、図２に示すように、音声を入力するためのマイクロホン１０ａ及び音声を出力するためのスピーカ１０ｂを有しドアホン子器２との間に通話路を形成する親機通話部１０と、全体の制御を行う制御部１１と、ドアホン子器２から通信線を介して送信される呼出信号を検出する呼出検出部１２と、例えば液晶ディスプレイから成り不審者の侵入を知らせるためのピクトマーク等を表示する表示部１３と、防犯センサ３からの侵入検知信号を受信すると不審者の侵入を知らせる警報動作を行わせる警戒モード、及び防犯センサ３からの侵入検知信号を受信しても警報動作を行わせない非警戒モードの設定を行うモード設定部１４と、防犯センサ３からの侵入検知信号を受信する侵入検知信号受信部１５と、ワイヤレス受信機５からの遠隔操作信号を受信する遠隔操作信号受信部１６と、少なくとも警戒モードに設定された時点からの防犯センサ３から送信される侵入検知信号の受信履歴を検知履歴情報として記憶する記憶部１７と、防犯センサ３の検知履歴情報を知らせる旨の音声メッセージを作成する音声メッセージ作成部１８とから構成される。
【００２０】
ドアホン子器２は、図３に示すように、音声を入力するためのマイクロホン２０ａ及び音声を出力するためのスピーカ２０ｂを有しインターホン親機１との間に通話路を形成する子器通話部２０と、例えば押釦等から成り操作に応じて信号を通信線を介してインターホン親機１に送信する操作入力受付部２１とから構成される。操作入力受付部２１は、インターホン親機１を呼び出すための呼出信号をインターホン親機１に送信する指示を入力する呼出釦を少なくとも備える。
【００２１】
防犯センサ３は、不審者の侵入を検知する侵入検知部（図示せず）と、アンテナ（図示せず）を介してインターホン親機１との間で電波を媒体とするワイヤレス信号を送信する無線送信部（図示せず）と、侵入検知部において不審者の侵入を検知すると無線送信部から不審者が侵入した旨を知らせる侵入検知信号を含むワイヤレス信号を送信させる制御部（図示せず）とから構成される。本実施形態では、侵入検知部として人体から放射される熱線（赤外線）を焦電素子により検知することで検知エリア内における人の存否を検知する熱線センサを採用している。
【００２２】
尚、建物の窓ガラスに加えられる衝撃を加速度センサ等を用いて検出する衝撃センサや、建物への出入り口の扉若しくは窓の開閉を検出する開閉センサを侵入検知部として採用しても構わない。また、これらセンサを組み合わせる、即ち、熱線センサを採用した防犯センサ３を建物の屋外に設置して建物周辺を検知エリアに設定するとともに、衝撃センサ及び開閉センサを採用した防犯センサ３を建物の窓部分に設置して窓ガラスの破壊と窓の開閉とを検出するようにすれば、住戸内への不審者の侵入をより確実に検知することができる。
【００２３】
リモコン４は、図４に示すように、例えば押釦等から成りインターホン親機１を遠隔操作するための操作入力を受け付ける操作入力受付部４０と、操作入力受付部４０において入力された操作に応じた遠隔操作信号を含むワイヤレス信号を送信する無線送信部４１とから構成される。操作入力受付部４０は、インターホン親機１のモード設定部１４において警戒モード又は非警戒モードの何れかに設定するためのモード設定信号をインターホン親機１に送信する指示を入力するモード設定釦と、防犯センサ３の検知履歴情報を要求するための履歴要求信号をインターホン親機１に送信する指示を入力する履歴要求釦とを少なくとも備える。尚、本実施形態では、上記のモード設定信号及び履歴要求信号が遠隔操作信号に相当する。
【００２４】
ワイヤレス受信機５は、図４に示すように、リモコン４の無線送信部４１から送信されるワイヤレス信号を受信する無線受信部５０と、受信したワイヤレス信号に含まれる遠隔操作信号を信号線（図示せず）を介してインターホン親機１に送信する遠隔操作信号送信部５１とから構成される。
【００２５】
以下、本実施形態の動作について図５を用いて説明する。先ず、居住者は、外出する際にインターホン親機１を直接操作する、若しくはリモコン４で遠隔操作することによりモード設定部１４において警戒モードに設定する。ここで、インターホン親機１の制御部１１は、警戒モードに設定された時点から解除される（非警戒モードに設定される）時点までの間、防犯センサ３から送信される侵入検知信号を侵入検知信号受信部１５で受信すると、その検知結果を検知履歴情報として記憶部１７に記憶する。
【００２６】
次に、居住者は、帰宅すると住戸内に入る前にリモコン４の履歴要求釦を操作する。すると、リモコン４から履歴要求信号がワイヤレス受信機５を介してインターホン親機１に送信される。インターホン親機１の制御部１１は、リモコン４から送信される履歴要求信号を遠隔操作信号受信部１６で受信すると、記憶部１７から防犯センサ３の検知履歴情報を読み出す。そして、音声メッセージ作成部１８において読み出された検知履歴情報に基づいて音声メッセージ信号が作成される。作成された音声メッセージ信号は、親機通話部１０及び通信線を介してドアホン子器２に送信され、ドアホン子器２のマイクロホン２０ａから音声メッセージが出力される。この音声メッセージを聞くことで、居住者は防犯センサ３の検知履歴を確認することができる。
【００２７】
上述のように、居住者は帰宅時にリモコン４の履歴要求釦を操作することで防犯センサ３の検知履歴を住戸内に入る前に確認することができるので、不審者が侵入しているのを知らずに居住者が住戸内に入るのを防ぐことができる。したがって、居住者と不審者とが鉢合わせになるのを防ぐことができ、防犯性を高めることができる。
【００２８】
尚、上記実施形態では、インターホン親機１の記憶部１７は防犯センサ３の検知履歴情報のみを記憶しているが、防犯センサ３の検知履歴情報とともに防犯センサ３から送信される侵入検知信号を受信した時点の時刻情報も記憶するように構成しても構わない。この場合、インターホン親機１の制御部１１は、履歴要求信号を受信すると記憶部１７から防犯センサ３の検知履歴情報及び時刻情報を読み出し、音声メッセージ作成部１８において防犯センサ３の検知履歴情報と対応する時刻情報とを知らせる音声メッセージを作成させ、親機通話部１０を介してドアホン子器２のマイクロホン２０ａから作成した音声メッセージを出力する。
【００２９】
而して、居住者は帰宅時に防犯センサ３が不審者の侵入を検知した時刻を住戸内に入る前に確認することができるので、不審者の侵入を検知した時刻と帰宅時の時刻とを比較することができる。したがって、不審者の侵入を検知した時刻が帰宅時の時刻よりも大分前の時刻であれば、既に不審者が住戸内から立ち去っていると判断して住戸内に入り、不審者の侵入を検知した時刻が帰宅時の時刻の直前であれば、不審者が住戸内に立ち入っていると判断して友人など他の人を呼んでから住戸内に入る等のように対応することができる。
【００３０】
更に、上記実施形態では、ドアホン子器２は防犯センサ３の検知履歴情報を音声で居住者に知らせていたが、防犯センサ３が不審者の侵入を検知した旨を知らせる液晶ディスプレイ等から成る表示部（図示せず）をドアホン子器２に設けても構わない。この場合、インターホン親機１の制御部１１は、警戒モードにおいて防犯センサ３から送信される侵入検知信号を侵入検知信号受信部１５において受信すると、ドアホン子器２にも侵入検知信号を送信する。そして、ドアホン子器２では、侵入検知信号を受信すると侵入検知信号を受信した旨を知らせるメッセージ等を作成して表示部に表示する。
【００３１】
而して、居住者は防犯センサ３が不審者の侵入を検知した事を帰宅時にドアホン子器２の表示部を見ることで確認することができる。したがって、帰宅時に表示部に表示がなければ不審者の侵入を検知していないことから、余計な確認作業をすることなく住戸内に入ることができ、利便性を向上させることができる。
【００３２】
ところで、上記実施形態では、リモコン４の操作入力受付部４０において履歴要求釦を操作することで防犯センサ３の検知履歴情報を要求する構成となっているが、ドアホン子器２の操作入力受付部２１に履歴要求釦を設け、該履歴要求釦を操作することで防犯センサ３の検知履歴情報を要求する構成としても構わない。この場合、帰宅時において居住者がリモコン４を操作する代わりに、ドアホン子器２を操作することで防犯センサ３の検知履歴情報を要求することができ、上記実施形態と同様の効果を奏することができる（図６参照）。
【符号の説明】
【００３３】
１  インターホン親機
２  ドアホン子器
２１  操作入力受付部
３  防犯センサ
４  リモコン
５  ワイヤレス受信機
【図１】
2010226345.tif 000003
【図２】
2010226345.tif 000004
【図３】
2010226345.tif 000005
【図４】
2010226345.tif 000006
【図５】
2010226345.tif 000007
【図６】
2010226345.tif 000008